(57)【要約】【課題】  隣接部材に干渉することなく開閉体が開閉動作可能であり、且つ、開閉体とその隣接部材との間の隙間を小さくすることのできる画像形成装置の開閉機構を提供する。【解決手段】  画像形成装置本体２と、画像形成装置本体２の開口部３に備えられ、開閉動作される開閉体４とを備えた画像形成装置１の開閉機構であって、画像形成装置本体２と開閉体４との一方の部材に設けられるピン部材と、他方の部材に設けられ、ピン部材がピン軸周りに回動可能且つ摺動可能に係合する係合部とを備え、全閉姿勢における開閉体４の開閉体延設方向端面に位置される開閉体離間側端辺４ａと開閉体近接側端辺４ｂとに関して、開閉体４の開閉動作時の軌跡が、開閉体４の全閉姿勢及び全開姿勢の両姿勢で囲まれる領域内に設定されている。【選択図】        図２
2005329566.tif 000002
【特許請求の範囲】
【請求項１】
画像形成装置本体と、前記画像形成装置本体の開口部に備えられ、開閉動作される開閉体とを備えた画像形成装置の開閉機構であって、
前記画像形成装置本体と前記開閉体との一方の部材に設けられるピン部材と、他方の部材に設けられ、前記ピン部材がピン軸周りに回動可能且つ摺動可能に係合する係合部とを備え、
全閉姿勢における前記開閉体の開閉体延設方向端面に位置される開閉体離間側端と開閉体近接側端とに関して、前記開閉体の開閉動作時の軌跡が、前記開閉体の全閉姿勢及び全開姿勢の両姿勢で囲まれる領域内に設定されている画像形成装置の開閉機構。
【請求項２】
開閉体に設けられるピン部材と、前記開閉体が開閉する開口部を備えた画像形成装置本体に設けられ、前記ピン部材がピン軸周りに回動可能且つ摺動可能に係合する係合部とを備え、
前記開閉体の全閉姿勢において、前記ピン部材の軸心位置が、開閉体表裏方向端面と、前記ピン軸に平行な開閉体軸方向及び前記開閉体表裏方向に直交する開閉体延設方向端面とから、共に開閉体表裏方向における幅の半分の位置とされ、
前記係合部が、前記開閉体延設方向端面に平行な前記画像形成装置本体の延設方向端面と、前記開閉体表裏方向端面に平行な前記画像形成装置本体の近接離間方向端面との両端面方向を二等分する方向に直線状に延びる直線状係合孔である画像形成装置の開閉機構。
【請求項３】
前記ピン部材の前記係合部に対する回動又は摺動に関して、
前記開閉体の開閉動作に連動して前記ピン部材の回動又は摺動を案内するガイド部を設けた請求項２記載の画像形成装置の開閉機構。
【請求項４】
前記ピン軸に平行な前記画像形成装置本体の軸方向に一対並設されるガイド板を備えるとともに、
前記一対のガイド板に、それぞれ前記直線状係合孔が設けられている請求項３記載の画像形成装置の開閉機構。
【発明の詳細な説明】
【技術分野】
【０００１】
本発明は、画像形成装置本体と、前記画像形成装置本体の開口部に備えられ、開閉動作される開閉体とを備えた画像形成装置の開閉機構に関する。
【背景技術】
【０００２】
従来、例えば、複写機やファクシミリ等の画像形成装置におけるフロントカバーは、一般的に、ヒンジ等のカバー取付機構によって画像形成装置本体に取付けられている。このようなカバー取付機構では、カバーを開閉する際、カバーがその取付位置からはみ出して隣接部材に対し干渉しながら回動するため、隣接部材との間に隙間が設けられている。カバーと隣接部材との間の隙間が大きいと、埃やこぼれたトナー等が画像形成装置本体内部に入り込み易くなるため、カバーと隣接部材との間の隙間を小さくする技術が求められている。
カバーと隣接部材との間の隙間を小さくするための技術には、例えば、２つのアーム型ヒンジによってカバーを本体部に取付けるように構成したカバー取付機構がある（例えば、特許文献１参照）。このカバー取付機構は、大型の２つのアーム型ヒンジによって隣接部材を避けながらカバーを開閉動作させるものであり、開閉動作時にカバーが隣接部材に干渉しないので、カバーと隣接部材との間に大きな隙間を設ける必要がない。
【０００３】
【特許文献１】特開２００１−１３００９５号公報（第１図）
【発明の開示】
【発明が解決しようとする課題】
【０００４】
しかし、特許文献１のカバー取付機構は、隣接部材を避けながらカバーを開閉動作させるため、及び、アーム型ヒンジの耐久性を高めるために、アーム型ヒンジが大型になる。このため、画像形成装置本体に、アーム型ヒンジを設置するための大きなスペースが必要となるという問題があった。
【０００５】
本発明は上記の問題に鑑みてなされたものであり、その目的は、隣接部材に干渉することなく開閉体が開閉動作可能であり、且つ、開閉体とその隣接部材との間の隙間を小さくすることのできる画像形成装置の開閉機構を提供する点にある。
【課題を解決するための手段】
【０００６】
この目的を達成するための本発明に係る画像形成装置の開閉機構の特徴構成は、画像形成装置本体と、前記画像形成装置本体の開口部に備えられ、開閉動作される開閉体とを備えた画像形成装置の開閉機構であって、前記画像形成装置本体と前記開閉体との一方の部材に設けられるピン部材と、他方の部材に設けられ、前記ピン部材がピン軸周りに回動可能且つ摺動可能に係合する係合部とを備え、全閉姿勢における前記開閉体の開閉体延設方向端面に位置される開閉体離間側端と開閉体近接側端とに関して、前記開閉体の開閉動作時の軌跡が、前記開閉体の全閉姿勢及び全開姿勢の両姿勢で囲まれる領域内に設定されている点にある。
【０００７】
ここでの開閉体延設方向は、開閉体表裏方向、及び、ピン軸に平行な開閉体軸方向の両方向に直交する方向を示しており、例えば、図２における紙面上下方向、図４における紙面上下方向で、この方向の一方端側にピン部材が位置し、他方端側が開放される方向である。開閉体離間側端及び開閉体近接側端は、開閉体のピン部材設置側の開閉体延設方向端面に位置し、画像形成装置本体側とは反対側を開閉体離間側端、画像形成装置本体側を開閉体近接側端としている。例えば、図２（ａ）において、前者は４ａを意味し、後者は４ｂを意味している。
即ち、上記特徴構成によれば、開閉動作時の開閉体離間側端及び開閉体近接側端の軌跡が、開閉体の全閉姿勢及び全開姿勢の両姿勢で囲まれる領域内に設定されているので、開閉体離間側端と開閉体近接側端とが前記領域内からはみ出すことなく回動する。このため、開閉動作の際に、開閉体が隣接部材に干渉することがなく、開閉体と隣接部材との間に隙間を設ける必要がないので、画像形成装置の小型化を図ることができる。そして、開閉体と隣接部材との間の隙間を小さくできることから、埃やこぼれたトナー等が内部に入り込み難くすることができる。
また、上記特徴構成によれば、ピン部材及び係合部を用いて、開閉機構の構造を簡素化することができる。大型の部材を必要としないため、画像形成装置本体に取付のための大きなスペースを設ける必要がなくなり、画像形成装置の小型化を図ることができる。
更に、上記特徴構成によれば、開閉体の開閉動作において、開閉体延設方向端面に平行な画像形成装置本体の延設方向端面から開閉体の開閉体離間側端がはみ出すことがないので、画像形成装置を設置する際、画像形成装置本体の幅方向端と壁や他の装置との間に隙間を設ける必要がなく、省スペース化を図ることができる。
【０００８】
本発明に係る画像形成装置の開閉機構の他の特徴構成は、開閉体に設けられるピン部材と、前記開閉体が開閉する開口部を備えた画像形成装置本体に設けられ、前記ピン部材がピン軸周りに回動可能且つ摺動可能に係合する係合部とを備え、前記開閉体の全閉姿勢において、前記ピン部材の軸心位置が、開閉体表裏方向端面と、前記ピン軸に平行な開閉体軸方向及び前記開閉体表裏方向に直交する開閉体延設方向端面とから、共に開閉体表裏方向における幅の半分の位置とされ、前記係合部が、前記開閉体延設方向端面に平行な前記画像形成装置本体の延設方向端面と、前記開閉体表裏方向端面に平行な前記画像形成装置本体の近接離間方向端面との両端面方向を二等分する方向に直線状に延びる直線状係合孔である点にある。
【０００９】
開閉動作時に開閉体が隣接部材に干渉するのを防ぐために、開閉動作時の開閉体の開閉体離間側端と開閉体近接側端との軌跡を開閉体の全閉姿勢及び全開姿勢の両姿勢で囲まれる領域内に設定して開閉体を回動させるとき、上記特徴構成の如く、ピン部材の軸心位置を開閉体延設方向端面及び開閉体表裏方向端面から開閉体表裏方向の幅の半分の位置に設定すると、ピン部材は、画像形成装置本体の延設方向端面と近接離間方向端面との両端面方向を二等分する方向に延びる直線上を回動しながら移動する。ピン部材の軸心位置が他の位置に設定されている場合には、ピン部材は曲線上を移動することとなる。従って、上記特徴構成の如く構成することにより、係合部を前記直線上に延びる直線状係合孔に形成することができ、係合孔の構成を簡素化して、本発明装置の製造を容易にすることができる。
また、上記特徴構成の如く構成することにより、開閉動作時に開閉体離間側端と開閉体近接側端とが前記領域内からはみ出すことなく回動させることができ、隣接部材に干渉しないため、開閉体と隣接部材との間に大きな隙間を設ける必要がなく、画像形成装置の小型化を図ることができる。
【００１０】
更に、他の特徴構成は、前記ピン部材の前記係合部に対する回動又は摺動に関して、前記開閉体の開閉動作に連動して前記ピン部材の回動又は摺動を案内するガイド部を設けた点にある。
即ち、上記特徴構成によれば、軸心位置が開閉体延設方向端面及び開閉体表裏方向端面から開閉体表裏方向の幅の半分の位置に設定された一つのピン部材に対し、ガイド部を設けて開閉体の回動又は摺動を案内するので、ピン部材を複数設ける必要がなく、装置の構成を簡素化することができる。また、開閉動作時に開閉体離間側端と開閉体近接側端とが前記領域内からはみ出すことがないので、開閉体と隣接部材との間に大きな隙間を設ける必要がなく、画像形成装置の小型化を図ることができる。
【００１１】
更に、他の特徴構成は、前記ピン軸に平行な前記画像形成装置本体の軸方向に一対並設されるガイド板を備えるとともに、前記一対のガイド板に、それぞれ前記直線状係合孔が設けられている点にある。
即ち、上記特徴構成によれば、一対の案内板を設ける構成にすることで、耐久性を維持しながら、開閉体の取付に係る部材を一箇所にまとめてこれらの部材のための設置スペースを小さくすることができ、画像形成装置の小型化を図ることができる。
【発明を実施するための最良の形態】
【００１２】
以下、本発明に係る画像形成装置の開閉機構（以下、適宜「本発明機構」と略称する）の実施形態を図面に基づいて説明する。
本発明機構は、複写機等の画像形成装置１に適用される。図１に示すように、画像形成装置本体２の開口部３に、略直方体状に形成されたフロントカバーが開閉体４として設けられており、開閉体４の下部には、給紙トレイ等の別部材のカバーが隣接部材７として設置されている。
【００１３】
本発明機構は、画像形成装置本体２と開閉体４との一方の部材に設けられるピン部材５と、他方の部材に設けられ、ピン部材５がピン軸周りに回動可能且つ摺動可能に係合する係合部６とを備え、全閉姿勢における開閉体４の開閉体延設方向端面４ｄに位置される開閉体離間側端辺４ａと開閉体近接側端辺４ｂとに関して、開閉体４の開閉動作時の軌跡が、開閉体４の全閉姿勢及び全開姿勢の両姿勢で囲まれる領域内に設定されている。
【００１４】
先ず、本発明に係る画像形成装置１の開閉機構の第一実施形態について、図１及び図２を基に説明する。ここで、本実施形態では、ピン部材５のピン軸が、画像形成装置本体２の正面視左右方向に沿って設けられており、この方向が開閉体軸方向と一致する。また、開閉体表裏方向及び開閉体軸方向の両方向に垂直な方向、言換えると、開閉体４が全閉姿勢のときに、画像形成装置本体２の正面視上下方向に一致する方向を開閉体延設方向とする。本実施形態では、開閉体４の軸方向端面４ｅの夫々に２つのピン部材５ａ、５ｂを開閉体軸方向に沿って設け、これに対応する２つの係合部６ａ、６ｂを画像形成装置本体２に設けてある。
【００１５】
ピン部材５は、ヒンジピンとして構成されており、開閉体４の軸方向端面４ｅに夫々２つずつ配設され、軸方向端面４ｅから開閉体軸方向外方に突出するように設置されている。ここで、図２（ａ）に示すように、開閉体４の表裏方向（紙面左右方向）の幅をｔとすると、一方のピン部材５ａの軸心位置が、開閉体表裏方向端面４ｃと開閉体延設方向端面４ｄとから共にｔ／２の位置に設定されている。他方のピン部材５ｂの軸心位置は、開閉体近接側端辺４ｂの位置に設定されている。
【００１６】
係合部６は、画像形成装置本体２に設けられる直線状係合孔であり、ピン部材５ａ、５ｂ夫々に対応して形成されている。図２（ａ）に示すように、ピン部材５ａに対応する係合部６ａが、全閉姿勢における開閉体４の開閉体表裏方向端面４ｃに平行な画像形成装置本体２の近接離間方向端面と、全閉姿勢における開閉体４の開閉体延設方向端面４ｄに平行な画像形成装置本体２の正面視上下方向端面との両端面方向を二等分する方向、即ち、図２（ａ）において開閉体近接側端辺４ｂから左上り４５度の方向に、直線状に延びる直線状係合孔として構成されている。ピン部材５ｂに対応する係合部６ｂは、開閉体４の全閉姿勢における開閉体近接側端辺４ｂの位置Ａから、開閉体４の全開姿勢における開閉体近接側端辺４ｂの位置Ｂに延びる直線状孔として形成されている。
【００１７】
開閉体４を開き動作させると、ピン部材５ａ及びピン部材５ｂは連動して移動する。ここで、図２（ａ）の矢印は、開閉体４の開動作時におけるピン部材５ａ及びピン部材５ｂの軌跡を示している。詳細には、図２（ａ）乃至（ｃ）に示すように、ピン部材５ａが、係合部６ａ内を下方から上方、上方から下方へ往復移動するのに伴って、ピン部材５ｂが位置Ａから位置Ｂまで直線移動する。開閉体４を閉じ動作させるときには、ピン部材５ａ、５ｂは開き動作時とは逆に移動する。このとき、開閉体４の開閉体離間側端辺４ａ及び開閉体近接側端辺４ｂの両方が、開閉体４の全閉姿勢及び全開姿勢の両姿勢で囲まれる領域内で移動し隣接部材７に干渉しないので、開閉体４と隣接部材７との隙間を少なくすることができる。
【００１８】
次に、本発明に係る画像形成装置１の開閉機構の第二実施形態について、図３及び図４を基に説明する。第一実施形態では、開閉体４の軸方向端面４ｅの夫々に２つのピン部材５ａ、５ｂを設け、これらに対応する係合部６ａ、６ｂを画像形成装置本体２に設けて構成したが、本実施形態は、図３に示すように、１つのピン部材５ｃ、一対のガイド板８、一対の固定板１０を備えて構成される。
【００１９】
本実施形態のピン部材５ｃは、棒状部材で構成されており、開閉体４の開閉体軸方向に延設されている。詳細には、ピン部材５ｃは、一対のガイド板８ａ、８ｂに設けられた係合部６ｃ、６ｄの両方に回動可能且つ摺動可能に挿通された状態で、一対の固定板１０ａ、１０ｂに形成された固定孔１２ａ、１２ｂの両方に挿通され固定される。
【００２０】
ガイド板８は、画像形成装置本体２の正面視左右方向の略中央に一対設けられている。ガイド板８ａには、係合部６ｃ及びガイド部９ａが設けられ、同様に、ガイド板８ｂには、係合部６ｄ及びガイド部９ｂが設けられている。
係合部６ｃ、６ｄは、第一実施形態における係合部６ａと同様に、画像形成装置本体２の正面視上下方向端面と近接離間方向端面との両端面方向を二等分する方向に、図４（ａ）において開閉体近接側端辺４ｂから左上がり４５度の方向に、直線状に延びる直線状係合孔として構成されている。
ガイド部９は、ピン部材５ｃの係合部６に対する回動又は摺動に関して、開閉体４の開閉動作に連動してピン部材５ｃの回動又は摺動を案内するように構成されている。詳細には、ガイド部９ａ（９ｂ）は、固定板１０ａ（１０ｂ）の当接部１１ａ（１１ｂ）が開閉体近接側端辺４ｂに対応する位置に設けられているので、開閉体４の全閉位置における開閉体近接側端辺４ｂに対応する位置Ａから開閉体４の全開位置における開閉体近接側端辺４ｂに対応する位置Ｂにかけて設けられている。このように構成することで、ガイド部９は、開閉体４の開閉動作時に、開閉体４の開閉体離間側端辺４ａ及び開閉体近接側端辺４ｂの両方が開閉体４の全閉姿勢及び全開姿勢の両姿勢で囲まれる領域内で移動するように当接部１１を案内する。尚、ガイド部９は、係合部６と共にガイド板８上に一体に形成されているので、係合部６との位置精度が良好なものとなっている。
【００２１】
固定板１０は、画像形成装置本体２の正面視左右方向に一対設けられており、画像形成装置本体２の正面視左右方向の略中央に、ガイド板８ａ、８ｂに囲まれる位置に配設されている。固定板１０ａ、１０ｂは、夫々、略直角三角形に形成され、開閉体近接側端辺４ｂに対応する位置に配設された鋭角部分が、当接部１１となるように円弧状に形成されている。更に、固定板１０ａ、１０ｂには、夫々、ピン部材５ｃを係合するための固定孔１２ａ、１２ｂが設けられている。固定孔１２ａ、１２ｂは、第一実施形態におけるピン部材５ａの場合と同様に、ピン部材５ｃを係合したとき、ピン部材５ｃの軸心位置が、開閉体表裏方向端面４ｃ及び開閉体延設方向端面４ｄから共にｔ／２の位置となるように設定されている。
【００２２】
図４に示すように、開閉体４を開き動作させると、当接部１１ａがガイド部９ａに当接し、当接部１１ｂがガイド部９ｂに当接しながら、位置Ａから位置Ｂまで直線移動する。そして、これに連動してピン部材５ｃが係合部６ｃ、６ｄ内を往復移動する。開閉体４を閉じ動作させるときには、当接部１１ａ、１１ｂ及びピン部材５ｃは開き動作時とは逆に移動する。このとき、第一実施形態と同様に、開閉体４の開閉体離間側端辺４ａ及び開閉体近接側端辺４ｂの両方が隣接部材７に干渉しないので、開閉体４と隣接部材７との隙間を少なくすることができる。
【００２３】
図５乃至図７は、従来の画像形成装置及び本発明機構を適用した他の画像形成装置１を示している。図５（ｄ）は、本発明機構を適用したプリンタ１のトップカバー４が全開姿勢のときに、プリンタ１を開閉体軸方向からみた場合の模式図であり、図５（ｃ）は、従来のプリンタのトップカバーが全開姿勢のときの模式図である。図５（ｃ）、（ｄ）に示すように、本発明機構を適用したプリンタ１のトップカバー４は、プリンタ１の側面から突出しない状態で開閉動作される。同様に、図６（ｄ）は、本発明機構を適用した複写機１のフロントカバー４が全開姿勢のときの模式図であり、図７（ｄ）は、本発明機構を適用した複写機１の自動原稿送り装置４が全開姿勢のときの模式図である。
【００２４】
尚、第一及び第二実施形態では、ピン部材５を開閉体４に、係合部６を画像形成装置本体２に設けたが、これに限るものではなく、逆に、ピン部材５を画像形成装置本体２に、係合部６を開閉体４に設けても良い。
【図面の簡単な説明】
【００２５】
【図１】本発明に係る画像形成装置の開閉機構の第一実施形態の斜視図
【図２】本発明に係る画像形成装置の開閉機構の第一実施形態の動作図
【図３】本発明に係る画像形成装置の開閉機構の第二実施形態の構成図
【図４】本発明に係る画像形成装置の開閉機構の第二実施形態の動作図
【図５】本発明に係る画像形成装置の開閉機構の別実施形態を示す模式図
【図６】本発明に係る画像形成装置の開閉機構の別実施形態を示す模式図
【図７】本発明に係る画像形成装置の開閉機構の別実施形態を示す模式図
【符号の説明】
【００２６】
１    画像形成装置
２    本体
３    開口部
４    開閉体
５    ピン部材
６    係合部
８    ガイド板
９    ガイド部
１０  固定板
１２  固定孔
【図１】
2005329566.tif 000003
【図２】
2005329566.tif 000004
【図３】
2005329566.tif 000005
【図４】
2005329566.tif 000006
【図５】
2005329566.tif 000007
【図６】
2005329566.tif 000008
【図７】
2005329566.tif 000009